(57)【要約】【課題】アンダードライブ方式のプレス機械において、スライドの高さ位置の調整を簡易な構造で行えるプレス機械を提供すること。【解決手段】下型２Ａが配置されるボルスタ２と、上型５Ａが配置されるスライド５と、スライド５に上端部が連結されたプルロッド６と、プルロッド６を昇降駆動する昇降機構７と、プルロッド６とスライド５との間に設けられスライド５のプルロッド６に対する高さ位置を調整する調整部８１を有するアジャスト装置８とを備える。【選択図】図１
2015174123.tif 000002
【特許請求の範囲】
【請求項１】
上面に下型が配置されたボルスタと、
前記下型と対向する上型が下面に配置され昇降可能とされたスライドと、
前記スライドに上端部が連結されたプルロッドと、
前記プルロッドを昇降駆動する昇降機構と、
前記プルロッドと前記スライドとの間に設けられ前記スライドの前記プルロッドに対する高さ位置を調整する調整部を有するアジャスト装置と、を備えた
ことを特徴とするプレス機械。
【請求項２】
請求項１に記載のプレス機械において、
前記アジャスト装置は、前記調整部を駆動するアジャスト駆動部を備え、
前記調整部は、前記プルロッドの上端部に設けられた雄ねじと、前記雄ねじに螺合される雌ねじ部と、前記雌ねじ部の外周部に設けられたウォームホイールと、前記ウォームホイールに噛合され前記スライドに回動自在に支持されたウォームとを有し、
前記アジャスト駆動部は、アジャスト用モータと、前記アジャスト用モータの回転を前記ウォームの回転に伝達する伝達機構とを有する
ことを特徴とするプレス機械。
【請求項３】
請求項１又は請求項２に記載のプレス機械において、
前記ボルスタが設けられたベッドと、前記ベッドの四隅にそれぞれ立設され前記スライドの水平方向の移動を規制するスライド用位置規制部を有するアップライトと、前記アップライトの上部に固定されたトップフレームと、前記トップフレームに設けられ前記スライドとのバランスをとるバランスシリンダとを備え、
前記スライドは、前記バランスシリンダとの干渉を防止するための凹部を有する
ことを特徴とするプレス機械。
【請求項４】
請求項３に記載のプレス機械において、
前記凹部には前記アジャスト用モータが配置されている
ことを特徴とするプレス機械。
【請求項５】
請求項１乃至請求項４のいずれか１項に記載のプレス機械において、
前記ボルスタがベッドに設けられ、
前記ベッドは、左右のベッドレッグを有するとともにピットに配置され、
前記昇降機構は、サーボモータと、前記プルロッドの下端部が連結され昇降自在とされた連結部材と、前記サーボモータに連結された減速機と、前記減速機に連結され前記連結部材を昇降する偏心機構と、を備え、
前記プルロッドは、前記スライドの左右両側にそれぞれ複数本が一対とされ、
前記連結部材は、左右両側において前記複数本が一対とされたプルロッドの下端部がそれぞれ連結され、かつ、前記連結部材は、前記左右のベッドレッグにそれぞれ配置され、
前記減速機、前記偏心機構及び前記サーボモータは、前記左右のベッドレッグにそれぞれ設けられている
ことを特徴とするプレス機械。
【請求項６】
請求項３乃至請求項５のいずれか１項に記載のプレス機械において、
前記トップフレームは前記バランスシリンダの上方を覆う板部を有する
ことを特徴とするプレス機械。
【発明の詳細な説明】
【技術分野】
【０００１】
本発明は、プレス機械に関する。
【背景技術】
【０００２】
プレス機械は、ボルスタに設けられた下型と、昇降駆動するスライドに設けられた上型との間でワークを加工するものである。スライドは動力源であるモータと連結されており、このモータとスライドとの間には減速機や偏心機構が設けられている。
このようなプレス機械には、機械全体の高さを低くするために、モータ、減速機及び偏心機構がプレス機械の下部に配置されるアンダードライブ方式のプレス機械が知られている。
【０００３】
このタイプのプレス機械には、スライドの左右両側にそれぞれロッドの上端を連結し、これらのロッドをそれぞれ偏心機構、減速機及びサーボモータに連結し、これらの偏心機構、減速機及びサーボモータをベッドに配置した従来例（特許文献１）がある。
さらに、フレームの上に下金型が支持される支持台を設け、支持台の上方にスライドを配置し、スライドの両側をそれぞれガイドポストの上端部を連結し、これらのガイドポストの下部をフレーム内に配置されたアンダービームに連結し、アンダービームをフレームの内部に配置した駆動モータ及びねじ軸で昇降させる従来例（特許文献２）がある。
【０００４】
また、スライドの左右両側にそれぞれ１本のコンロッドを連結し、これらのコンロッドにそれぞれ歯車機構を介して電動機を連結した従来例（特許文献３）がある。
さらに、フレームの左右側に設けられたガイドにそれぞれテンションロッドを上下動可能に設け、テンションロッドの上端部をスライドに連結し、テンションロッドの下端部に運動変換機構を介してエキセンシャフトに連結した従来例（特許文献４）がある。
【先行技術文献】
【特許文献】
【０００５】
【特許文献１】独国特許出願公開第１０２０１１０１６６６９明細書
【特許文献２】実開平６−３４８９３号公報
【特許文献３】実開昭５１−９５０８０号公報
【特許文献４】実開昭４９−５７９６９号公報
【発明の概要】
【発明が解決しようとする課題】
【０００６】
プレス機械では、加工するワークの大きさ、その他の要因によって、ボルスタに対するスライドの高さ位置を調整するためのアジャスト装置が必要とされることがある。
しかし、特許文献１〜４でそれぞれ示された従来例では、アジャスト装置の具体的な開示がなく、そのため、スライドの高さ調整を行うことができない。
【０００７】
本発明の目的は、アンダードライブ方式のプレス機械において、スライドの高さ位置の調整を簡易な構造で行えるプレス機械を提供することにある。
【課題を解決するための手段】
【０００８】
本発明のプレス機械は、上面に下型が配置されたボルスタと、前記下型と対向する上型が下面に配置され昇降可能とされたスライドと、前記スライドに上端部が連結されたプルロッドと、前記プルロッドを昇降駆動する昇降機構と、前記プルロッドと前記スライドとの間に設けられ前記スライドの前記プルロッドに対する高さ位置を調整する調整部を有するアジャスト装置と、を備えたことを特徴とする。
【０００９】
本発明では、前記アジャスト装置は、前記調整部を駆動するアジャスト駆動部を備え、前記調整部は、前記プルロッドの上端部に設けられた雄ねじと、前記雄ねじに螺合される雌ねじ部と、前記雌ねじ部の外周部に設けられたウォームホイールと、前記ウォームホイールに噛合され前記スライドに回動自在に支持されたウォームとを有し、前記アジャスト駆動部は、アジャスト用モータと、前記アジャスト用モータの回転を前記ウォームの回転に伝達する伝達機構とを有することが好ましい。
【００１０】
本発明では、前記ボルスタが設けられたベッドと、前記ベッドの四隅にそれぞれ立設され前記スライドの水平方向の移動を規制するスライド用位置規制部を有するアップライトと、前記アップライトの上部に固定されたトップフレームと、前記トップフレームに設けられ前記スライドとのバランスをとるバランスシリンダとを備え、前記スライドは、前記バランスシリンダとの干渉を防止するための凹部を有することが好ましい。
【００１１】
本発明では、前記凹部には前記アジャスト用モータが配置されていることが好ましい。
【００１２】
本発明では、前記ボルスタがベッドに設けられ、前記ベッドは、左右のベッドレッグを有するとともにピットに配置され、前記昇降機構は、サーボモータと、前記プルロッドの下端部が連結され昇降自在とされた連結部材と、前記サーボモータに連結された減速機と、前記減速機に連結され前記連結部材を昇降する偏心機構と、を備え、前記プルロッドは、前記スライドの左右両側にそれぞれ複数本が一対とされ、前記連結部材は、左右両側において前記複数本が一対とされたプルロッドの下端部がそれぞれ連結され、かつ、前記連結部材は、前記左右のベッドレッグにそれぞれ配置され、前記減速機、前記偏心機構及び前記サーボモータは、前記左右のベッドレッグにそれぞれ設けられていることが好ましい。
【００１３】
本発明では、前記トップフレームは前記バランスシリンダの上方を覆う板部を有することが好ましい。
【発明の効果】
【００１４】
本発明では、昇降機構が作動すると、プルロッドを介してスライドが昇降する。スライドには上型が配置され、ボルスタには下型が配置されているため、これらの上型と下型との間にワークがセットされると、スライドの昇降に伴ってワークがプレスされる。
加工するワークに応じて、ダイハイトの異なる金型を設置するために、昇降機構を停止し、アジャスト装置を作動させる。すると、アジャスト装置の調整部によって、スライドのプルロッドの高さが調整されることになり、スライドのボルスタに対する高さ位置が変更される。スライドの高さ位置が変更されたら、昇降機構を作動させてプレス加工を再開する。
従って、本発明では、アジャスト装置の調整部をスライドとプルロッドの上端部との間に設けるという簡易な構成によって、スライドの高さ位置の調整を実現することができる。
しかも、調整部は、プルロッドの上端部に配置されるものであって、プルロッドの下端部に配置されるものではないから、調整部をプルロッドの下端部に配置する場合に比べて、プレス機械の下部構造が複雑にならない。
【００１５】
本発明では、調整部を、プルロッドの上端部に設けられた雄ねじと、雌ねじ部と、ウォームホイールと、ウォームとを備えて構成し、ウォームを回動させるために伝達機構及びアジャスト用モータを用いることによって、より簡易な構成でスライドの高さ位置の調整を実現することができる。
【００１６】
本発明では、アップライトのスライド用位置規制部を設けることで、スライドの水平方向の移動が規制されるため、スライドの高さ位置の調整を正確に行うことができる。しかも、トップフレームにバランスシリンダを設けることにより、スライドの高さ位置の調整を大きな力を用いることなく実施することができる。
その上、スライドは、バランスシリンダとの干渉を防止するための凹部を有することにより、トップフレームの高さを低く設定することができる。
【００１７】
本発明では、スライドの凹部にアジャスト用モータが配置されると、調整部だけでなく、アジャスト駆動部もプルロッドの下端部に配置されるものではないから、プレス機械の下部構造をより簡素化することができる。
【００１８】
本発明では、左右それぞれ複数本のプルロッドを１つの連結部材で昇降させることができるとともに、連結部材、減速機構、偏心機構及びサーボモータを左右のベッドレッグに設けた構成とすれば、これらの装置を設置する広い場所を必要としない。しかも、減速機構、偏心機構及びサーボモータをプルロッドの数に応じて配置する必要がないから、プレス機械の部品点数を少なくし、製造コストを抑えることができる。
【００１９】
本発明では、トップフレームの板部によって、バランスシリンダの上方が覆われるので、バランスシリンダの上方に向かう力が大きく働いても、バランスシリンダの移動を板部で規制することができる。
【図面の簡単な説明】
【００２０】
【図１】本発明の一実施形態にかかるプレス機械の一部を破断した正面図。
【図２】プレス機械の一部を破断した側面図。
【図３】プレス機械の下部を示す平面図。
【図４】サーボモータ、減速機、偏心機構及び連結部材の関係を示す概略斜視図。
【図５】ダイクッションを示す側面図。
【図６】プレス機械の上部を示す平面図。
【図７】アジャスト装置の要部を示す正面図。
【発明を実施するための形態】
【００２１】
以下、本発明の一実施形態を図面に基づいて説明する。
図１及び図２には、本実施形態にかかるプレス機械の全体構成が示されている。なお、図１において、左側がプレス左側の位置を示し、右側がプレス右側の位置を示す。図２において、左側がプレス前側の位置を示し、右側がプレス後側の位置を示す。
［プレス機械の全体構成の説明］
プレス機械は、ピットＰに配置されたベッド１と、ベッド１の上に設けられたボルスタ２と、ベッド１の四隅に立設されたアップライト３と、アップライト３の上部に固定されたトップフレーム４と、トップフレーム４に昇降自在に設けられたスライド５と、スライド５に上端部が連結されたプルロッド６と、プルロッド６を昇降駆動する昇降機構７と、スライド５の高さ位置を調整するアジャスト装置８と、を備えている。なお、本実施形態のプレス機械は、シングルプレスに適用できる他、トランスファープレス、その他のプレス装置にも適用することができる。また、本実施形態のプレス機械は、タンデムプレスラインを構成する１つのプレス装置としても適用することができる。
【００２２】
ベッド１は、正面に対して左に配置されたベッドレッグ１Ｌと、右に配置されたベッドレッグ１Ｒと、これらのベッドレッグ１Ｌ，１Ｒの間に配置されたセンターベッド１Ｃとを備えている。
ベッド１の上面にはキャリア２Ｂを介してボルスタ２が設置されており、ボルスタ２の上面には下型２Ａが配置されている。下型２Ａと対向するように上型５Ａがスライド５の下面に配置されている。下型２Ａに図示しないワークが配置された状態で、上型５Ａが下型２Ａに向けて下降すると、ワークがプレス加工される。なお、本実施形態では、ベッド１の上面にボルスタ２を直接配置してもよい。
センターベッド１Ｃには、ダイクッション１０が設けられている。
【００２３】
ピットＰは、単独ピットの場合、略直方体である。ピットＰの前壁及び後壁からは略直方体状の張出部Ｐ１が設けられ、張出部Ｐ１の上面は、地上面Ｇに対して下がっている（図２参照）。左右のベッドレッグ１Ｌ，１Ｒは、前後方向に延び、ピットＰの張出部Ｐ１に載置され、かつ、図示しないアンカーボルトで張出部Ｐ１に固定されている。張出部Ｐ１の左右寸法は、左右のベッドレッグ１Ｌ，１Ｒの幅に所定の余裕を持たせて設置されている。張出部Ｐ１の左右寸法を抑えることで、センターベッド１Ｃの前後のメンテナンススペースを確保したり、図示しない油タンク等のピット設置場所を確保したりしている。ピット工事は、コストがかかる上に、プレス機械周りに床材を張らなければならないので、通常は、ピット寸法は最低限に抑えている。左右のベッドレッグ１Ｌ，１Ｒは、プレス機械の総重量を、発生加速度を考慮した上で支えなければならない。そのため、ベッドレッグ１Ｌ，１Ｒの構造を強度アップしなければならないし、前後のピットＰの張出部Ｐ１の間隔を狭くしなければならない。
【００２４】
トップフレーム４には、スライド駆動機構が内蔵されておらず、スライド５とのバランスをとるバランスシリンダ４０が２本設けられている。そのため、バランスシリンダ４０及び上型５Ａは、トップフレーム４に深く入れ込むことができる。
トップフレーム４は、バランスシリンダ４０の上方を覆う板部４Ａを有する。トップフレーム４は、４本のアップライト３の上面に固定されることで、アップライト３の倒れ防止機能も有する。
スライド５には、バランスシリンダ４０との干渉を防止するための凹部５０が上方に開口して設けられている。つまり、凹部５０は、図１の符号５Ｔで示されるスライド５が最も上昇した位置において、バランスシリンダ４０が入り込むためのスペースである。
バランスシリンダ４０は、シリンダ４０Ａと、シリンダ４０Ａに昇降自在に収納されたピストン４０Ｂと、ピストン４０Ｂに上端部が連結され下端部が凹部５０の中板部５０Ａに連結された連結ロッド４０Ｃとを有する。連結ロッド４０Ｃの下端部には中板部５０Ａと係止する係止部４０Ｄを有する。
【００２５】
［昇降機構の説明］
図３は、プレス機械の下部の平面が示されている。
図１から図３において、昇降機構７は、サーボモータ７０と、プルロッド６の下端部が連結された連結部材７１と、サーボモータ７０に連結された減速機７２と、減速機７２に連結され連結部材７１を昇降する偏心機構７３と、を備えている。サーボモータ７０、連結部材７１、減速機７２及び偏心機構７３は、それぞれ左のベッドレッグ１Ｌと右のベッドレッグ１Ｒとに配置されている。
【００２６】
左右のベッドレッグ１Ｌ，１Ｒには、それぞれ連結部材７１の水平方向の移動を規制する連結部材用位置規制板７４が上下に延びて設けられている。
連結部材用位置規制板７４は、連結部材７１の中心部を囲むように４枚が配置されている。
なお、偏心機構７３は、図１，３では左側に配置されたもののみが図示されている。
左右のベッドレッグ１Ｌ，１Ｒには、それぞれ偏心機構７３を潤滑するための潤滑油（図示せず）を収納するオイルパン７３Ａが設けられている。
【００２７】
プルロッド６は、左右両側において、それぞれ前後に配置された２本が一対とされており、これらの下端部が連結部材７１に連結されている。
連結部材７１は、所定間隔をあけて配置された２枚の側面板部７１０と、側面板部７１０同士をそれぞれ接合する上面板部７１１及び複数のリブ７１２Ａ，７１２Ｂと、を有する。
２枚の側面板部７１０のうち内面間と、この内面間で互いに対向する２枚のリブ７１２Ａとの間には下方に開口した挿通空間７１Ａが形成されている。
【００２８】
２枚の側面板部７１０の両端部には、それぞれ介在部材としてのブロック７５がピン７６により回動自在に支持されている。ブロック７５の上端部には雌ねじ部７５Ａが形成されている。雌ねじ部７５Ａに螺合する雄ねじ部６Ａがプルロッド６の下端部に形成されている。なお、プルロッド６の下端部の形状を工夫して、プルロッド６を直接、連結部材７１と接続してもよい。
偏心機構７３は、減速機７２に連結されたメインシャフト７７と、メインシャフト７７に連結されたコンロッド７８と、コンロッド７８の上端部を連結部材７１の下部に連結する連結ピン７９とを備えている。
コンロッド７８の上部は、挿通空間７１Ａに収納される。さらに、コンロッド７８の上部が入り込む挿通空間７１Ａ内にも補強用のリブ７１２Ｂが設けられている。
一般に、サーボプレスの場合、スライドのモーション設定が自由なため、多くの金型に適用することが期待されるが、適用するためには、スライドストローク量をある程度確保しなければならない。それは、コンロッドが大きくなることを許容することにつながる。一方で、ピット寸法を抑える必要もある。両方の条件を満足するために、連結部材を用いた構成につながった。
【００２９】
［サーボモータ及び減速機の説明］
図４には、サーボモータ、減速機、偏心機構及び連結部材の関係が示されている。
図１，３，４において、左右に配置された減速機７２は、それぞれ偏心機構７３と連結される不等速減速機７２Ａと、不等速減速機７２Ａと連結される等速減速機７２Ｂとを備えている。不等速減速機７２Ａは、入力軸を等速回転させても、出力軸では所定の不等速回転となる減速機であり、例えば、ウィットウォース減速機がよく知られている。等速減速機７２Ｂは、入力軸を等速回転させれば、出力軸も等速回転する減速機である。
不等速減速機７２Ａは、第一ケース７２１に収納され、第一ケース７２１はベッドレッグ１Ｌ，１Ｒの外面に取り付けられている。
等速減速機７２Ｂは、１つの不等速減速機７２Ａに対して２つ設けられている。これらの等速減速機７２Ｂは、それぞれ第二ケース７２２に収納されている。これらの第二ケース７２２は第一ケース７２１に取り付けられている。不等速減速機７２Ａ及び等速減速機７２Ｂを個別にメンテナンス可能とするために、第一ケース７２１及び第二ケース７２２には、図示しない窓部が形成されている。
各々の第二ケース７２２には、それぞれ１つのサーボモータ７０が出力軸７０Ａを上下にして設けられている。つまり、２つのサーボモータ７０及び２つの等速減速機７２Ｂが１つの不等速減速機７２Ａと１つの偏心機構７３とに連結される。
【００３０】
［ダイクッションの説明］
ダイクッション１０の構成が図５に示されている。
図５において、ダイクッション１０は、スライド５に対してダイクッション荷重を生じさせるものであり、クッションパッド１１と、緩衝装置１２と、支持部１３と、ダイクッション駆動機構１４とを備える。
クッションパッド１１は、スライド５からの力を受ける部材であり、センターベッド１Ｃ内において上下方向に移動可能に設けられている。
緩衝装置１２は、クッションパッド１１と支持部１３との間で衝撃を緩和させる装置である。
支持部１３は、クッションパッド１１を支持する部分である。
ダイクッション駆動機構１４は、支持部１３を昇降させるものであり、プーリー１５と、ダイクッション用サーボモータ１６と、ダイクッション用サーボモータ１６の回転をプーリー１５に伝達するベルト１７とを有する。
スライド５から上型５Ａを介して下型２Ａの所定部位に伝えられた押力は、複数のクッションピン２Ｃを介してクッションパッド１１の上面に伝えられる。ボルスタ２にはクッションピン用の貫通孔（図示せず）が複数形成されている。
【００３１】
［アップライトの説明］
図６には、プレス機械の上部が示されている。
図６において、アップライト３は、スライド５の側面角部に対向する平面Ｔ字状の柱本体３１と、柱本体３１とスライド５の側面角部との間に配置されたスライド用位置規制部３２とを有する。
スライド用位置規制部３２は、スライド５の水平方向の移動を規制するものであり、柱本体３１の内角部において上下に延びて配置されている。なお、図６において、符号３２０はスライドフレームである。
【００３２】
［アジャスト装置の説明］
アジャスト装置８は、プルロッド６とスライド５との間に設けられた調整部８１と、調整部８１を駆動するアジャスト駆動部８２とを備えている。
アジャスト駆動部８２は、スライド５の中板部５０Ａに固定されたアジャスト用モータ８３と、アジャスト用モータ８３に連結された伝達機構８４とを有する。
アジャスト用モータ８３は、サーボモータから構成されており、その出力軸８３Ａは水平に延びて配置されている。
伝達機構８４は、アジャスト用モータ８３に連結される第一伝達機構８５と、第一伝達機構８５に連結される垂直軸８６と、垂直軸８６に連結される第二伝達機構８７とを有する。
【００３３】
第一伝達機構８５は、アジャスト用モータ８３に連結され左右に延びた出力軸８５０を有する連結機構８５１と、出力軸８５０にジョイント部８５２を介して連結された回転軸８５３と、回転軸８５３と垂直軸８６の下端部とを連結する連結機構８５４とを有する。
回転軸８５３の端部はスライド５の側壁に形成された窓部５０Ｂに挿通されており、連結機構８５４は、図示しない取付部によってスライド５の左右外側面側に支持されている。
垂直軸８６は、対となるプルロッド６の間の中間位置に配置されている。
第二伝達機構８７は、垂直軸８６の上端部と連結される連結機構８７１と、連結機構８７１に一端部が連結され水平に延びて配置される回転軸８７２とを有する。
【００３４】
調整部８１の具体的な構成が図７に示されている。
図６及び図７において、調整部８１は、プルロッド６の上端部に形成された雄ねじ６Ｂと、雄ねじ６Ｂに螺合される雌ねじ部８１０と、雌ねじ部８１０の外周部に設けられたウォームホイール８１１と、ウォームホイール８１１に噛合されるウォーム８１２とを有する。
雌ねじ部８１０は、ねじ部本体８１０Ａと、ねじ部本体８１０Ａの下端に一体に接合されたフランジ部８１０Ｂとを有する。
ウォームホイール８１１は、ねじ部本体８１０Ａに図示しないキー等を用いて固定されている。そのため、ウォーム８１２が回転すると、ウォームホイール８１１を介して雄ねじ部８１０も回転する。
ウォーム８１２は、ホルダ８１３に回転自在に支持される。ホルダ８１３は、ウォームホイール８１１を収納する内部空間が形成されたホルダ本体８１３Ａと、ホルダ本体８１３Ａの下端にリング状に形成された係止片部８１３Ｂとを有する。ホルダ本体８１３Ａはねじ部本体８１０Ａと干渉しないようにするために、その内周がねじ部本体８１０Ａの外周と所定間隔離れている。
【００３５】
［過負荷保護装置の説明］
スライド５には、図７に示される通り、プルロッド６にかかる過負荷を防止する過負荷保護装置９が設けられている。
過負荷保護装置９は、スライド５に固定された第一筒状体９１と、プルロッド６に固定された第二筒状体９２と、第一筒状体９１と第二筒状体９２との間に設けられた油室９０に連通されたリリーフ弁９３とを有する。
第一筒状体９１は、中心に開口９１０が形成された円板部９１１と、円板部９１１の外周縁に設けられた筒状部９１２とを有する。筒状部９１２の内周部には第二筒状体９２の抜け止めをする抜止リング９４が設けられている。
第一筒状体９１には、ホルダ８１３が固定されている。
第二筒状体９２は、筒状部９２１と、筒状部９１２の上端部に一体形成されたフランジ９２２とを有し、第二筒状体９２の内周面は、プルロッド６の外周面と摺動自在に連結している。
フランジ９２２の上面には、ウェアプレート８１４が設けられている。ウェアプレート８１４と雄ねじ部８１０のフランジ部８１０Ｂとは、摺動自在とされている。
【００３６】
油室９０は、フランジ９２２と円板部９１１との間の空間９０Ａと、この空間９０Ａと連通され第一筒状体９１に形成された油連通路９０Ｂとを有する。
油連通路９０Ｂはリリーフ弁９３に連通され、リリーフ弁９３は図示しない油タンクと連通されている。
そのため、スライド５とプルロッド６との間に過負荷が生じると、油室９０に閉塞された油の油圧が上昇する。油圧が所定の設定値を超えると、リリーフ弁９３が開弁し、油室９０内の油が油タンクに戻る。リリーフ弁９３が開弁すると、図示しない制御装置は、プルロッド６の昇降を停止する。
【００３７】
［プレス加工の説明］
プレス機械を用いてプレス加工をするために、上型５Ａと下型２Ａとの間にワークをセットした後、サーボモータ７０を作動させる。
すると、左右それぞれ２つ配置されたサーボモータ７０の回転が等速減速機７２Ｂを介して１つの不等速減速機７２Ａに伝達され、この不等速減速機７２Ａの回転が偏心機構７３を介して１つの連結部材７１の昇降運動として伝達される。連結部材７１は左右に１つずつあるため、これらの連結部材７１が昇降されると、連結部材７１の前後にそれぞれ２本が一対として連結されたプルロッド６を介してスライド５が昇降される。スライド５はアップライト３のスライド用位置規制部３２により水平方向の移動が規制されるため、ボルスタ２に向かって正確に昇降することになる。スライド５の昇降に伴ってワークがプレスされる。
スライド５の左右をそれぞれ２本のプルロッド６を介して連結部材７１で昇降し、連結部材７１、不等速減速機７２Ａ、等速減速機７２Ｂ、偏心機構７３及びサーボモータ７０を左右のベッドレッグ１Ｌ，１Ｒに設けたので、これらの装置を設置する広い場所を必要としない。不等速減速機７２Ａ、等速減速機７２Ｂ、偏心機構７３及びサーボモータ７０をプルロッド６の数に応じて配置する必要がないので、プレス機械の部品点数が少なくなり、製造コストを抑えられることになる。
【００３８】
［アジャスト調整の説明］
加工するワークに応じて、ダイハイトの異なる金型を設置するために、サーボモータ７０を停止し、アジャスト装置８を作動させる。
アジャスト用モータ８３が作動すると、伝達機構８４を介して調整部８１のウォーム８１２が回動する。ウォーム８１２が回動すると、ウォーム８１２に噛合するウォームホイール８１１とともに雌ねじ部８１０が回動する。この雌ねじ部８１０の回動により、雄ねじ６Ｂと雌ねじ部８１０とが相対的に上下する。雌ねじ部８１０のフランジ部８１０Ｂがウェアプレート８１４とホルダ８１３とに挟持されているので、雌ねじ部８１０が上下すると、スライド５も上下し、スライド５のプルロッド６に対する高さ調整がされる。
【００３９】
アジャスト装置８の調整部８１がスライド５とプルロッド６の上端部との間に設けられているので、簡易な構成によって、スライド５の高さ位置の調整を実現することができる。しかも、調整部８１をプルロッド６の下端部に配置する場合に比べて、プレス機械の下部構造が複雑にならない。
スライド５の高さ調整が終了したら、アジャスト用モータ８３を停止する。これにより、スライド５に対してプルロッド６が動かない状態となるので、プレス加工を再開することができる。なお、アジャスト装置８の伝達機構８４には、ウォーム８１２とウォームホイール８１１が用いられるので、セルフロックがかかる。従って、アジャスト用モータ８３の出力軸の回転を止める制動装置を大型化する必要はない。
【００４０】
なお、本発明は前述の実施形態に限定されるものではなく、本発明の目的を達成できる範囲での変形、改良等は本発明に含まれるものである。
前記実施形態では、左右それぞれ２本のプルロッド６を１つの連結部材７１で昇降させ、かつ、連結部材７１、減速機７２、偏心機構７３及びサーボモータ７０を左右のベッドレッグ１Ｒ，１Ｌに設けた構成としたが、本発明では、連結部材７１を省略し、プルロッド６の各々に、減速機７２、偏心機構７３及びサーボモータ７０を連結した構成であってもよい。
また、１つの連結部材７１の前後方向に配置されるプルロッド６の数は２本に限定されるものではなく、３本以上としてもよい。
【００４１】
本発明のアジャスト装置８の構成は前記実施形態に限定されない。例えば、本発明では、アジャスト用モータ８３の回転をウォーム８１２の回転に伝達する伝達機構として、ベルト機構を採用するものでもよい。
さらに、スライド５には、バランスシリンダ４０との干渉を防止するための凹部５０を必ずしも設けることを要しない。そして、アジャスト用モータ８３の設置場所は限定されるものではなく、例えば、スライド５の上縁であってもよい。
また、トップフレーム４の上部は、バランスシリンダ４０の上方を覆う板部４Ａを設けることなく、開放する構成であってもよい。
【産業上の利用可能性】
【００４２】
本発明は、シングルプレス、トランスファープレス等に利用することができる。
【符号の説明】
【００４３】
１…ベッド、１Ｌ…左のベッドレッグ、１Ｒ…右のベッドレッグ、２…ボルスタ、２Ａ…下型、３…アップライト、３２…スライド用位置規制部、４…トップフレーム、４０…バランスシリンダ、４Ａ…板部、５…スライド、５０…凹部、５Ａ…上型、６…プルロッド、６Ａ…雄ねじ部、６Ｂ…雄ねじ、７…昇降機構、７０…サーボモータ、７１…連結部材、７２…減速機、７２１…第一ケース、７２２…第二ケース、７２Ａ…不等速減速機、７２Ｂ…等速減速機、７３…偏心機構、７３Ａ…オイルパン、７４…連結部材用位置規制板、７７…メインシャフト、７８…コンロッド、８…アジャスト装置、８１…調整部、８１０…雌ねじ部、８１１…ウォームホイール、８１２…ウォーム、８２…アジャスト駆動部、８３…アジャスト用モータ、８４…伝達機構、Ｐ…ピット
【図１】
2015174123.tif 000003
【図２】
2015174123.tif 000004
【図３】
2015174123.tif 000005
【図４】
2015174123.tif 000006
【図５】
2015174123.tif 000007
【図６】
2015174123.tif 000008
【図７】
2015174123.tif 000009